(57)【要約】【課題】異音が生じ難く、かつコギングトルクを低減することができるモータ用ステータを提供する。【解決手段】筒状をなすコア本体１とコア本体１の内周側に一体に突設された複数のティース２とからなるコア３と、ティース２に巻回されたコイル４とで構成されるモータ用ステータにおいて、隣り合う２つのティース２間にはアルミニウムからなる障壁板６が設けられている。【選択図】        図１
2004328966.tif 000002
【特許請求の範囲】
【請求項１】
筒状をなすコア本体と該コア本体の内周側に一体に突設された複数のティースとからなるコアと、該ティースに巻回されたコイルとで構成されるモータ用ステータにおいて、
各前記ティース間には、導電体からなる障壁板が設けられていることを特徴とするモータ用ステータ。
【請求項２】
前記障壁板は非磁性体であることを特徴とする請求項１記載のモータ用ステータ。
【請求項３】
前記障壁板は、隣り合う２つの前記ティースの先端部に当接するとともに前記コア本体に当接していることを特徴とする請求項１又は２記載のモータ用ステータ。
【請求項４】
前記障壁板は、前記ティースと前記コイルとの間に設けられるインシュレータに取り付けられていることを特徴とする請求項１乃至３のいずれか１項記載のモータ用ステータ。
【請求項５】
前記障壁板は、アルミニウム、ステンレス又は銅からなることを特徴とする請求項１乃至４のいずれか１項記載のモータ用ステータ。
【発明の詳細な説明】
【０００１】
【発明の属する技術分野】
本発明はモータ用ステータに関する。本発明のモータ用ステータはブラシレスモータに用いて好適である。
【０００２】
【従来の技術】
従来、特許文献１にモータ用ステータが開示されている。このモータ用ステータは、図３に示すように、コア９３とコイル９４とで構成されている。コア９３は、筒状をなすコア本体９１と、このコア本体９１の内周側に一体に突設された複数のティース９２とからなる。また、コイル９４はティース９２に巻回されている。なお、コア本体９１はティース９２毎に周方向で分割されている。各ティース９２にはインシュレータ９５が装着され、コア９３とコイル９４との電気的絶縁性を確実なものとしている。
【０００３】
このモータ用ステータは次のように製造される。まず、ティース９２毎にインシュレータ９５を装着して、インシュレータ９５の上からティース９２にコイル９４を巻回する。そして、これらを筒状に組付けてモータ用ステータが完成する。以上のようにして製造されたモータ用ステータは、磁石を有するロータとともにモータを構成する。
【０００４】
このモータ用ステータでは、ティース９２毎にコイル９４を巻回した後、これらを筒状に組付けるため、隣り合うティース９２間の間隔ｔ（スロット開口幅）を狭めることができる。これにより、コイル９４に通電すると、ロータの磁石を通る主磁束φｍのほか、ティース９２間を通る漏れ磁束φｌが発生する。このモータ用ステータでは、この漏れ磁束φｌによりコギングトルクを低減することができる。
【０００５】
【特許文献１】
特開平６−１０５４８７号公報
【０００６】
【発明が解決しようとする課題】
しかし、上記従来のモータ用ステータでは、コギングトルクが問題となるロータの低速回転時のみならず、ロータの高速回転時においても漏れ磁束が発生する。このため、このモータ用ステータでは、ロータの高速回転時において、コイルへの通電電流波形が歪んで異音が生じやすくなる。
【０００７】
本発明は、上記従来の実情に鑑みてなされたものであって、異音が生じ難く、かつコギングトルクを低減することができるモータ用ステータを提供することを解決すべき課題としている。
【０００８】
【課題を解決するための手段】
本発明のモータ用ステータは、筒状をなすコア本体と該コア本体の内周側に一体に突設された複数のティースとからなるコアと、該ティースに巻回されたコイルとで構成されるモータ用ステータにおいて、
各前記ティース間には、導電体からなる障壁板が設けられていることを特徴とする。
【０００９】
本発明のモータ用ステータでは、ティース間に導電体からなる障壁板が設けられているため、ロータの高速回転時においては磁束が漏れ難くなる。つまり、磁束の変化が速いロータの高速回転時においては、障壁板に渦電流が発生する。この渦電流により、漏れ磁束を打ち消す方向の磁束が発生するため、漏れ磁束が減少してコイルへの通電電流波形が歪み難くなる。また、このモータ用ステータでは、コギングトルクが問題となるロータの低速回転時においては、磁束の変化が遅く渦電流が生じ難いため漏れ磁束が発生し、コギングトルクを低減できる。
【００１０】
したがって、本発明のモータ用ステータによれば、異音が生じ難く、かつコギングトルクを低減することができる。
【００１１】
障壁板は、導電体であるとともに非磁性体であることが好ましい。障壁板として磁性体を用いた場合、漏れ磁束が大きくなり過ぎ、これに伴ってコイルへの通電電流波形の歪みも大きくなることがある。これに対し、障壁板として非磁性体を用いれば、漏れ磁束が過大となることが避けられるからである。
【００１２】
障壁板は、隣り合う２つのティースの先端部に当接するとともにコア本体に当接していることが好ましい。これにより、１つのコイルが欠損した場合であっても隣接する他のコイルに影響を与えることがない。
【００１３】
障壁板は、ティースとコイルとの間に設けられるインシュレータに取り付けられていることが好ましい。これにより、障壁板をティース間に容易かつ確実に取り付けることができる。
【００１４】
障壁板は、アルミニウム、ステンレス又は銅からなることが好ましい。これらは非磁性体かつ導電体であり、渦電流を発生させることができるとともに漏れ磁束が過大となることを防止できる。
【００１５】
【発明の実施の形態】
以下、本発明を具体化した実施形態を図面を参照しつつ説明する。
【００１６】
本実施形態のモータ用ステータは、図１に示すように、コア３とコイル４とで構成されている。コア３は珪素鋼板が積層されてなり、筒状をなすコア本体１と、このコア本体１の内周側に一体に突設された複数のティース２とからなる。また、コイル４はティース２に巻回されている。なお、コア本体１はティース２毎に周方向で分割されている。各ティース２にはインシュレータ５が装着され、コア３とコイル４との電気的絶縁性を確実なものとしている。また、隣り合う２つのティース２間にはアルミニウムからなる障壁板６が設けられている。この障壁板６はティース２間の間隔ｔと略等しい厚さを有している。そして、この障壁板６はインシュレータ５に取り付けられて固定され、隣り合う２つのティース２の先端部に当接するとともにコア本体１の内周面に当接している。
【００１７】
このモータ用ステータは次のように製造される。まず、ティース２毎にインシュレータ５を装着して、インシュレータ５の上からティース２にコイル４を巻回する。そして、インシュレータ５に障壁板６を取り付けた後、これらを筒状に組付けてモータ用ステータが完成する。このようにして製造されたモータ用ステータは、磁石を有するロータとともにモータを構成する。
【００１８】
このモータ用ステータでは、隣り合うティース２間の間隔ｔが狭いため、図２に示すように、ロータの磁石を通る主磁束φｍのほか、漏れ磁束φｌが発生する。ここで、隣り合うティース２間に設けられた障壁板６が非磁性体かつ導電体であるため、磁束の変化が速いロータの高速回転時においては、渦電流ｉが発生する。この渦電流ｉにより漏れ磁束φｌを打ち消す方向の磁束φｉが発生するため、漏れ磁束φｌが減少してコイルへの通電電流波形が歪み難くなる。
【００１９】
また、コギングトルクが問題になるロータの低速回転時においては、磁束の変化が遅いため渦電流ｉが生じ難く、漏れ磁束φｌを打ち消す方向の磁束φｉが発生し難い。そのため、ロータの低速回転時においては、漏れ磁束φｌが発生することになる。
【００２０】
したがって、実施形態のモータ用ステータによれば、異音が生じ難く、かつコギングトルクを低減することができる。
【００２１】
なお、障壁板６は、渦電流を発生させることができ、かつティース２間の漏れ磁束が過大とならない「非磁性体かつ導電体」であればよいので、アルミニウム以外にも例えばステンレス、銅等を用いることができる。また、障壁板６は、漏れ磁束φｌが貫通する位置に配置されればよいので、コア本体１の内周面に当接するまで径方向外側へ延在している必要はなく、隣り合うティース２の先端部間に存在するだけの大きさであってもよい。
【図面の簡単な説明】
【図１】実施形態のモータ用ステータの一部断面図である。
【図２】実施形態のモータ用ステータの斜視断面図である。
【図３】従来のモータ用ステータの一部断面図である。
【符号の説明】
１…コア本体
２…ティース
３…コア
４…コイル
５…インシュレータ
６…障壁板
【図１】
2004328966.tif 000003
【図２】
2004328966.tif 000004
【図３】
2004328966.tif 000005